(57)【要約】【課題】一般家庭のトイレ室においても杖を離せない高齢者や車椅子使用の身障者であっても充分な余裕を持って安心して使用できるユニバーサルデザインによるトイレユニットとする。【解決手段】便器１が平面方形のトイレ室２の隅部２１においてその幅方向の中心線が各壁面３１，３２，３３，３４に対して傾斜した状態で配置されているとともに、便器１の斜め前方に位置する壁面３２に斜め格子状の手摺り４が配置されており、更に、トイレ室２に設けた開き扉５の開放側の端縁に沿って形成された開口部５２に把手６を備えた前記開口部５２と同形の子扉５３が上下方向に延びる回転軸５４，５４を中心として回転可能に配置されている。【選択図】    図１
2004176323.tif 000002
【特許請求の範囲】
【請求項１】
便器が平面方形のトイレ室の隅部においてその幅方向の中心線が各壁面に対して傾斜した状態で配置されているとともに、前記便器の斜め前方に位置する壁面に斜め格子状の手摺りが配置されており、更に、前記トイレ室に設けた開き扉の開放側の端縁に沿って形成された開口部に把手を備えた前記開口部と同形の子扉が上下方向に延びる回転軸を中心として回転可能に配置されていることを特徴とするユニバーサルデザインによるトイレユニット。
【請求項２】
前記把手は前記子扉の片面にのみ配置されている請求項１記載のユニバーサルデザインによるトイレユニット。
【請求項３】
前記子扉の裏面が前記開き扉の表面と視覚により区別可能である請求項１または２記載のユニバーサルデザインによるトイレユニット。
【請求項４】
便器が平面方形のトイレ室の隅部においてその幅方向の中心線が各壁面に対して傾斜した状態で配置されているとともに、前記便器の斜め前方に位置する壁面に斜め格子状の手摺りが配置されており、更に、前記トイレ室に設けた開き扉の表面に付設した把手の握り部が開き扉の動線外にあるとともに前記把手の上下方向に延びる握り部が軸線に沿って回転可能であることを特徴とするユニバーサルデザインによるトイレユニット。
【請求項５】
前記開き扉の裏面の前記表面に付設した把手に対向する位置に板状の押し板が付設されている請求項４記載のユニバーサルデザインによるトイレユニット。
【発明の詳細な説明】
【０００１】
【発明の属する技術分野】
本発明は、年齢、体格、人種、障害などに拘わらず、全ての人にとって差別なく便利に且つ安全に使用することができる、所謂、ユニバーサルデザインによるトイレユニットに関するものである。
【０００２】
【従来の技術】
従来、杖を離すことができない高齢者や車椅子使用の障害者に対してバリアフリー住宅などが提案されて現実に実施されているが、それらは健常者基準の住宅において段差をなくしたり手摺りをつけたりするものが殆どであり全ての人々を満足させるものではなかった。
【０００３】
特に、日常の生活に必須で最も快適さを必要とするトイレは図１２に示すように便器１を例えばトイレ室２の奥側の壁面３１を背にして側方の壁面３２、３３に平行になるように配置するのが一般的であり、規格の住宅用のトイレ室は限られた空間を有することから車椅子を持ち込む余裕がなく、車椅子が使用可能な広い空間を有する介護用トイレを設けるにはきわめて大掛かりな工事が必要であった。
【０００４】
また、従来、介護用トイレには、壁面に手摺り設置されているが、便器１がトイレ室２の奥側の壁面３１を背にして側方の壁面３２，３３に平行になるように配置されているので手摺り４，４が前記側方の壁面３２，３３に配置されることになり、使用者は側方に配置されている手摺りを掴むこととになり体格の違いや使用状態（体位）によっては非常に使用しづらいものであった。
【０００５】
一方、従来から介護用の手摺りとして図１３に示したようにＬ字型の手摺り４が用いられているが、この手摺り４は、垂直部４ａと水平部４ｂとからなり、使用者が立ち上がるときに力を掛けにくく無理な力や姿勢を強いている。特に、このＬ字型の手摺り４は直線的な垂直４ａと水平部４ｂとを掴んで使用するものであることから壁面３２への取り付けの高さや左右方向位置を使用者に合わせて設置する必要があり、他の使用者にとっては満足に対応することができない、という問題がある。
【０００６】
また、Ｌ字型の手摺り４は正しい方向で取り付けた場合に効果を発揮するものであり、たとえば左右の方向を取り違えて取り付けた場合などには当初の目的を達成できないという問題もある。
【０００７】
更に、トイレ室において、高齢者や身障者にとって開き扉の開閉操作は負担であり、殊に、従来の開き扉は開閉時に把手を持ち替える必要があり、この持ち替え動作が身体の保持が容易でない高齢者などにとっては大きな負担となっているばかりか、従来の開き扉は図１１（ｂ）に示すように使用者が開き扉５を手前に開くときに開き扉５の動線Ｍ内に身体が入ってしまいスムーズな開閉動作を妨げている。更にまた、従来のトイレ用の開き扉には内側から施解錠可能な鍵を付けるのが一般的であるが、鍵がかかっているために病変などの事故が発生した場合に迅速な対応がとれない。また、従来のトイレ用開き扉に使用されている把手は図１２に示すようにその形状が押して開けるのか引いて開けるのかの判断が容易でなくアフォーダンスが満たされていないという問題もある。
【０００８】
【発明が解決しようとする課題】
本発明はこのような実情に鑑みてなされたものであり、一般家庭のトイレ室においても杖を離せない高齢者や車椅子使用の身障者であっても充分な余裕を持って安心して使用できるユニバーサルデザインによるトイレユニットを提供するものである。
【０００９】
【課題を解決するための手段】
そこで、前記課題を解決するため第１の発明は、便器を平面方形のトイレ室の隅部においてその幅方向の中心線が各壁面に対して傾斜した状態で配置するとともに、前記便器の斜め前方に位置する壁面に斜め格子状の手摺りを配置し、更に、前記トイレ室に設けた開き扉の開放側の端縁に沿って形成された開口部に把手を備えた前記開口部と同形の子扉を上下方向に延びる回転軸を中心として回転可能に配置することとした。
【００１０】
便器を平面方形のトイレ室の隅部においてその幅方向の中心線が各壁面に対して傾斜した状態で配置することにより、トイレ室の空間を有効に生かし、一般家庭用のトイレ室の寸法においても車椅子などの使用を可能にするとともに、最も使い勝手のよい便器の斜め前方に位置する壁面に手摺りを設けることができる。
【００１１】
また、便器の斜め前方に位置する壁面に設けた手摺りを斜め格子状とすることにより、幅広い体格や屈んだり立ち上がったりする際の様々な体位に対して対応可能であり、力が入れやすく無理な姿勢を強いることもなく、左右対称であるため取り付け方向を誤る心配もない。
【００１２】
更にまた、開き扉の開放側の端縁に沿って形成された開口部に把手を備えた前記開口部と同形の子扉を上下方向に延びる回転軸を中心として回転可能にすることにより、把手を握ったままの状態で、手を持ち替えることなく開き扉を開閉することが可能であり、高齢者や身障者にとって開き扉の開閉操作に伴う負担を軽減することができるばかりか、子扉を回転させることにより開口部からトイレ室内の様子が確認できるので例えば鍵を掛けている場合にも室外から点検できるので突然の事故などにも迅速に対処することができ、加えて、把手を子扉の片面にのみ配置することにより、更には前記子扉の裏面と前記開き扉の表面とを視覚により区別可能にすることにより使用中か否かが一目で判別できるとともに開き扉に鍵をかける必要がなく緊急時や非常時にも迅速な対応が可能である。
【００１３】
特に、第２の発明は、開き扉における把手の握り部を開き扉の動線外に配置して上下方向に延びる把手の握り部を軸線に沿って回転可能とすることにより、使用者の身体が開き扉の開閉を邪魔する心配がなくスムースな開閉操作が行え、また、開き扉の裏面の表面に付設した把手に対向する位置に板状の押し板が付設されている場合には、開き扉を閉じる直前に開き扉を保持したりトイレ室から外へ出るときに迷わずに押すことができる。
【００１４】
【発明の実施の形態】
次に、本発明の実施の形態を図面に基づいて説明する。尚、前記従来例と同一部分については同一の符号を用いて説明する。
【００１５】
図１乃至図８は、第１の発明を一般家庭のトイレ室２について実施した場合の好ましい実施の形態の一例を示すものであり、便器１が平面長方形のトイレ室２の１つの隅部２１においてその幅方向の中心線Ａが各壁面３１，３２，３３，３４に対して傾斜した状態で配置されているとともに、便器１の斜め前方に位置する壁面３２に斜め格子状の手摺り４が配置されている。また、前記壁面３２に対向する壁面３３にはその前方側に開き扉５が配置されている。
【００１６】
そして、前記壁面３２に配置されている斜め格子状の手摺り４は、図３に示すように、たとえば木材、ステンレスなどの金属或いはこれらの組み合わせた素材などの棒或いはパイプ材に形成され、４５度の角度に傾斜した３つの正方形が、互いに隣接する横方向の角部をレージトング様に連結して一体的に形成された例えば高さが４０ｃｍ程度の手摺り本体４１が、それらの両端及び上下に位置する角部においてそれぞれ付設された取付具４２により壁面３２から所定の距離（例えば６ｃｍ程度）を隔てて取り付けられており、特に上端に位置する３つの角部には球状の所定形状を有する例えば直径が５．５ｃｍ程度の掴み部４３が付設されている。
【００１７】
このように本発明の手摺り４は左右対称であるため従来のＬ字型のものと異なり取り付け方向を誤る心配がない。尚、本実施の形態では３つの正方形が互いに隣接する形状としたが、正方形の数はこれに限るものではなく壁面の長さなどに応じて変化させてもよい。
【００１８】
また、壁面３２に対向する壁面３３に配置されている開き扉５は、全体の形状は通常トイレ室などに使用されているものとほぼ同様であるが、図４に示すように、開放側の端縁５１に沿って形成された縦長方形状の開口部５２に縦方向へ延びる棒状の把手６を備えた開口部５２と同形の子扉５３が上下方向に延びる回転軸５４、５４を中心として１８０度にわたって回転可能に配置され、子扉５３の表面並びに裏面が開き戸５の表面と互いに面一な状態を形成できるようになっている。
【００１９】
本実施の形態では前記子扉５３の表面５５は開き戸５の表面５６と同様な模様や色彩が施され、子扉５３の裏面５７は開き戸５の表面５６と異なる模様や色彩が施されているので子扉５３が表面５５を向いているのか裏面５７を向いているのかが視覚により簡単に区別できる。
【００２０】
尚、図１および図２中、符号７は壁面３１，３３に配置された縦方向へ延びる短尺棒状の補助手摺りである。
【００２１】
次に、前記実施の形態における使用方法について詳細に説明する。
【００２２】
図５は車椅子８を使用している身障者である使用者９が前記実施の形態に示したトイレユニットを使用する場合についての概略を経時的に示したものであり、まず、身障者である使用者９は図５（ａ）に示すように開き扉５に近づき把手６を掴み、図５（ｂ）に示すように手前側に引く、そして、図５（ｃ）に示すように車椅子８がトイレ室２内に入れるだけの開口部が形成されたら、図５（ｄ）に示すように車椅子８ごとトイレ室２内に進行する。
【００２３】
このとき、本実施の形態では子扉５３が上下方向に延びる回転軸５４、５４を中心として回転可能に配置されている。そのため、使用者９は最初に図５（ａ）に示した状態で掴んだ把手６をそのまま離すことなしに、つまり、持ち替えることなしに図５（ｄ）および図５（ｅ）に示すようにトイレ室２内に進行して開き扉５を閉じる状態まで進むことができるので開き扉５の開閉操作に伴う負担を軽減することができる。また、開き戸５の表面側に露呈するは開き戸５の表面と異なる模様や色彩が施されているので、また、把手がないので使用中であることが一目瞭然であり、別途に鍵を設けなくて、或いは設けたとしても通常は掛けなくてもよく、事故への迅速な対応ができる。尚、デザイン的には好ましくないが、子扉５３の裏面５７に予め「使用中」の様な識別標記を施しておいてもよい。
【００２４】
図６は前記開き扉５の開閉操作を更に詳しく説明したものであり、図６（ａ）に示すように、把手６を掴んで、図６（ｂ）に示すように把手６を掴んだまま身体を開口部に向く位置に動かす。このとき、図６（ｃ）に示すように把手６を掴むことにより子扉５３が回転するので、図６（ｄ）に示したようにトイレ室２に入って開き扉５を閉じるまで把手６を掴んだままの状態を無理なく保つことができる。
【００２５】
トイレ室２内に進入した身障者である使用者９は図５（ｅ）に示すように、トイレ室２内にはいるが、このとき、便器１が平面長方形のトイレ室２の１つの隅部２１においてその幅方向の中心線Ａが各壁面３１，３２，３３，３４に対して傾斜した状態で配置されているので、トイレ室２の空間を有効に生かし、一般家庭用のトイレ室の寸法においても車椅子８の使用を可能にすることができるとともに、最も使い勝手のよい便器の斜め前方に位置する壁面３３に手摺り４を設けることができる。
【００２６】
次に、身障者である使用者９は図５（ｆ）乃至（ｈ）に示すように、手摺り４を掴んで車椅子８から便器１へと乗り移ることになるが、実験的に乗り移り易い車椅子８の中心線と便器１の中心線とのなす角度は９０度以下であり、図７に示すように本実施の形態では、ほぼ６５度程度となり、有効な角度であるといえる。
【００２７】
特に、車椅子８から便器１へと乗り移る時に使用する手摺り４は、斜め格子状であり、単に横方向へ延びる直線的なものと異なり掴む位置に幅があるので、子供から高齢者まで幅広い体格に適応可能で、更に、屈んだり立ち上がったりする際の様々な体位に対しても対応可能であるばかりか、図８（ａ）および（ｂ）に直線的な比較例とともに示したように、手首が楽に上下するので、力を入れやすい。また、図８（ｃ）および（ｄ）に示すように、手摺り４が身体の全面に位置するので掴み易いとともに身体の回転がし易く便器への着座が楽に行える。
【００２８】
また、本実施の形態では手摺り４の３つの頂角には球状の掴み部４３が付設されているので掴まり歩きをする際にも掴み易い。
【００２９】
そして、用を足した後は、前記図５において（ｈ）から（ａ）へと逆の動作により退室することになるが、図６（ｅ）に示すように、出るときには入るときと反対の動きになり、把手６を掴んだまま押し開ければよい。
【００３０】
図９は第２の発明の実施の形態の一例を示すものであり、前記図１乃至図８に示した第１の発明と開き扉５の部分だけが異なるので、ここでは他の部分についての詳細な説明は省略する。
【００３１】
本実施の形態では、開き扉５が前記実施の形態のような子扉５３を形成しておらず、開き扉５の表面に設けた把手６の握り部６１を開き扉５の動線Ｍよりも外に配置しているとともに上下方向に延びる把手６の握り部６１が軸線に沿って回転可能とされている。また、開き扉５の裏面には板状の押し板５８がその周囲を開き扉５の裏面から所定の距離を有するように配置されている。
【００３２】
本実施の形態は、図１０（ａ）に示すように開き扉５から把手６が突出しているので使用者は迷うことなく把手６を掴むと手前に引いて開く力を与える。そして、このとき、図１０（ｂ）に示すように把手６の握り部６１が軸線に沿って回転可能であることから、把手６を握ったまま開き扉５の内側まで身体を移動することができる。更に、図１０（ｃ）および（ｄ）に示すように身体を開き扉５の内側に移動したら押し板５８を掴んで開き扉５を閉じる。また、出るときには図１０（ｅ）に示すように押し板５８を手で押し、更に図１０（ｆ）に示すように手や身体などで押せばよいが、押し板５８は表面が平滑で掴むところがないので使用者９は迷わずに押す力を加えることができる。
【００３３】
このように本実施の形態に示した開き扉５は容易且つ少ない労力で開閉操作ができるので多数の使用者に対応可能である。特に、本実施の形態における把手６は図１１（ａ）に示すように握り部６１を開き扉５の動線Ｍよりも外に配置されていることにより、図１１（ｂ）に示す握り部６１を開き扉５の動線Ｍよりも内に配置している従来のものに比べて開き扉５に対して立つ位置が自然と壁側になり、そのまま把手６を掴んで開き扉５を開いても扉の動線Ｍの邪魔をしないので身体の動きが不要であり、無駄な動きをすることなく開閉操作をすることができる。
【００３４】
尚、前記各実施の形態は家庭規格のトイレ室２に付いて実施した場合を示したが、ユニバーサルデザインを念頭においていることから、駅や高齢者介護施設、或いは各種のパブリックスペースなど不特定多数の人々が使用する場所に設置可能であることはいうまでもない。
【００３５】
【発明の効果】
以上のように本発明は、  便器を平面方形のトイレ室の隅部においてその幅方向の中心線が各壁面に対して傾斜した状態で配置することにより、従来の一般家庭用のトイレ室の寸法であっても、壁面に手摺りを設けたり車椅子での使用も可能である。
【００３６】
また、便器を斜めに配置したことにより、最も使い勝手の良い便器の斜め前方に位置する壁面に手摺りが配置でき、特に、手摺りを斜め格子状とすることにより、幅広い体格に対して、更には屈んだり立ち上がったりする際の様々な体位に対して対応可能であり、直線上のものに比べて力が入れやすく無理な姿勢を強いることもなく、加えて、左右対称であるため取り付け方向を誤る心配もない。
【００３７】
更に、開き扉の開放側の端縁に沿って形成された開口部に把手を備えた前記開口部と同形の子扉を上下方向に延びる回転軸を中心として回転可能にすることにより、把手を握ったままの状態で、手を持ち替えることなく開き扉を開閉することが可能である。
【００３８】
更にまた、把手の握り部を開き扉の動線外に配置して上下方向に延びる把手の握り部を軸線に沿って回転可能とする開き扉を有する場合には、使用者の身体が開き扉の開閉を邪魔する心配がなくスムースな開閉操作が行え、また、開き扉の裏面の表面に付設した把手に対向する位置に板状の押し板が付設されている場合には、開き扉を閉じる直前に開き扉を保持したりトイレ室から外へ出るときに迷わずに押すことができる。
【００３９】
以上のように本発明はいずれも開き扉の開閉や便器の使用がきわめてスムーズな一連の動作として達成可能であり、年齢、体格、人種、障害などに拘わらず、全ての人にとって差別なく便利に且つ安全に使用することができ、ユニバーサルデザインによるトイレユニットとしての要件を充分に満たしている。
【００４０】
尚、本発明は、便器と、手摺りと、開き扉との組み合わせからなるユニバーサルデザインによるトイレユニットであるが、本発明に用いられている手摺りおよび開き扉は個々において上記のような優れたものであり、そそれぞれ各種施設や住宅などにおいて個別に実施することができるものである。
【図面の簡単な説明】
【図１】第１の発明についての好ましい実施の形態を示す平面図。
【図２】図１の側面図。
【図３】図１に示した実施の形態の手摺りを示すもので、（ａ）は正面図、（ｂ）は平面図、（ｃ）は側面図。
【図４】図１に示した実施の形態の開き扉の正面図を示すもので、（ａ）は子扉の表面が露出している状態、（ｂ）は子扉が１８０度回転して裏面が露出している状態、（ｃ）は子扉が９０度回転した状態。
【図５】図１に示した実施の形態についての車椅子を用いた場合の使用状態を経時的に示す説明図。
【図６】図１に示した実施の形態についての開き扉の使用状態を経時的に示す説明図。
【図７】図１に示した実施の形態の使用状態を示す平面図。
【図８】図３に示した手摺りの使用状態を従来例と比較して示した説明図。
【図９】第２の発明の開き扉についての好ましい実施の形態を示すもので、（ａ）は表面図、（ｂ）は裏面図。
【図１０】図９に示した開き扉の使用状態を示す平面図。
【図１１】図９に示した開き扉の使用状態を従来例と比較してに示す説明図。
【図１２】従来例を示す平面図。
【図１３】従来例を示す側面図。
【符号の説明】
１  便器、２  トイレ室、４  手摺り、５開き扉、６  把手、３１，３２，３３，３４  壁面、５３  子扉、５４  回転軸、５８  押し板、６１  握り部
【図１】
2004176323.tif 000003
【図２】
2004176323.tif 000004
【図３】
2004176323.tif 000005
【図４】
2004176323.tif 000006
【図５】
2004176323.tif 000007
【図６】
2004176323.tif 000008
【図７】
2004176323.tif 000009
【図８】
2004176323.tif 000010
【図９】
2004176323.tif 000011
【図１０】
2004176323.tif 000012
【図１１】
2004176323.tif 000013
【図１２】
2004176323.tif 000014
【図１３】
2004176323.tif 000015
【手続補正書】
【提出日】平成15年6月3日(2003.6.3)
【手続補正１】
【補正対象書類名】明細書
【補正対象項目名】００１２
【補正方法】変更
【補正の内容】
【００１２】
更にまた、開き扉の開放側の端縁に沿って形成された開口部に把手を備えた前記開口部と同形の子扉を上下方向に延びる回転軸を中心として回転可能にすることにより、把手を握ったままの状態で、手を持ち替えることなく開き扉を開閉することが可能であり、殊に支えが必要な高齢者や身障者にとって開き扉の開閉操作に伴う負担を軽減することができるばかりか、子扉を回転させることにより開口部からトイレ室内の様子が確認できるので例えば鍵を掛けている場合にも室外から点検できるので突然の事故などにも迅速に対処することができ、加えて、把手を子扉の片面にのみ配置することにより、更には前記子扉の裏面と前記開き扉の表面とを視覚により区別可能にすることにより使用中か否かが一目で判別できるとともに開き扉に鍵をかける必要がなく緊急時や非常時にも迅速な対応が可能である。


【手続補正２】
【補正対象書類名】明細書
【補正対象項目名】００１９
【補正方法】変更
【補正の内容】
【００１９】
また、前記子扉５３の表面５５には把手６を設置したので子扉５３が表面５５を向いているのか裏面５７を向いているのかが一目で区別できるが、殊に本実施の形態では前記子扉５３の表面５５は開き戸５の表面５６と同様な模様や色彩が施され、子扉５３の裏面５７は開き戸５の表面５６と異なる模様や色彩が施されているので子扉５３が表面５５を向いているのか裏面５７を向いているのかが視覚により簡単に区別できる。


【手続補正３】
【補正対象書類名】明細書
【補正対象項目名】００２３
【補正方法】変更
【補正の内容】
【００２３】
このとき、本実施の形態では子扉５３が上下方向に延びる回転軸５４、５４を中心として回転可能に配置されている。そのため、使用者９は最初に図５（ａ）に示した状態で掴んだ把手６をそのまま離すことなしに、つまり、持ち替えることなしに図５（ｄ）および図５（ｅ）に示すようにトイレ室２内に進行して開き扉５を閉じる状態まで進むことができるので開き扉５の開閉操作に伴う負担を軽減することができる。また、開き戸５の表面側に露呈するは開き戸５の表面と異なる模様や色彩が施されているので、また、把手がないので使用中であることが一目瞭然であり、別途に鍵を設けなくて、或いは設けたとしても通常は掛けなくてもよく、事故への迅速な対応ができる。尚、デザイン的には好ましくないが、子扉５３の裏面５７に予め「使用中」の様な識別標記を施すことも可能である。


【手続補正４】
【補正対象書類名】明細書
【補正対象項目名】００２４
【補正方法】変更
【補正の内容】
【００２４】
図６は前記開き扉５の開閉操作を更に詳しく説明したものであり、図６（ａ）に示すように、把手６を掴んで、図６（ｂ）に示すように把手６を掴んだまま身体を開口部に向く位置に動かす。このとき、図６（ｃ）に示すように把手６を掴むことにより子扉５３が回転するので、トイレ室２に入って開き扉５を閉じるまで把手６を掴んだままの状態を無理なく保つことができる。


【手続補正５】
【補正対象書類名】明細書
【補正対象項目名】００２５
【補正方法】変更
【補正の内容】
【００２５】
トイレ室２内に進入した身障者である使用者９は図５（ｃ）に示すように、トイレ室２内にはいるが、このとき、便器１が平面長方形のトイレ室２の１つの隅部２１においてその幅方向の中心線Ａが各壁面３１，３２，３３，３４に対して傾斜した状態で配置されているので、トイレ室２の空間を有効に生かし、一般家庭用のトイレ室の寸法においても車椅子８の使用を可能にすることができるとともに、最も使い勝手のよい便器の斜め前方に位置する壁面３３に手摺り４を設けることができる。


【手続補正６】
【補正対象書類名】明細書
【補正対象項目名】００２６
【補正方法】変更
【補正の内容】
【００２６】
次に、身障者である使用者９は図５（ｅ）乃至（ｇ）に示すように、手摺り４を掴んで車椅子８から便器１へと乗り移ることになるが、実験的に乗り移り易い車椅子８の中心線と便器１の中心線とのなす角度は９０度以下であり、図７に示すように本実施の形態では、ほぼ６５度程度となり、有効な角度であるといえる。


【手続補正７】
【補正対象書類名】明細書
【補正対象項目名】００２７
【補正方法】変更
【補正の内容】
【００２７】
特に、車椅子８から便器１へと乗り移る時に使用する手摺り４は、斜め格子状であり、単に横方向へ延びる直線的なものと異なり掴む位置に幅があるので、子供から高齢者まで幅広い体格に適応可能で、更に、屈んだり立ち上がったりする際の様々な体位に対しても対応可能であるばかりか、図８（ａ）および（ｂ）に直線的な比較例とともに示したように、手首が楽に上下するので、力を入れやすい。また、図８（ｃ）に示すように、手摺り４が身体の前面に位置するので掴み易いとともに身体の回転がし易く便器への着座が楽に行える。


【手続補正８】
【補正対象書類名】明細書
【補正対象項目名】００２９
【補正方法】変更
【補正の内容】
【００２９】
そして、用を足した後は、前記図５において（ｇ）から（ａ）へと逆の動作により退室することになるが、図６（ｄ）に示すように、出るときには入るときと反対の動きになり、把手６を掴んだまま押し開ければよい。


【手続補正９】
【補正対象書類名】図面
【補正対象項目名】図１
【補正方法】変更
【補正の内容】
【図１】
2004176323.tif 000016
【手続補正１０】
【補正対象書類名】図面
【補正対象項目名】図５
【補正方法】変更
【補正の内容】
【図５】
2004176323.tif 000017